(57)【要約】【課題】接続回路を動作させるための安定した電圧を生成することができる給電システムを提供する。【解決手段】バス電圧設定部７０１は、太陽電池１０で生成された直流電圧に交流電圧を重畳して、電圧バス８１へ出力する。接続制御回路７−１〜７−４は、電圧バス８１を通じて重畳された電圧を受けて、重畳された電圧から交流電圧を抽出し、交流電圧から直流電圧を生成し、生成された直流電圧が動作電圧として用いて、蓄電池６−１〜６−４と電圧バス８１との間を接続または切断する。【選択図】図１
2014100050.tif 000002
【特許請求の範囲】
【請求項１】
電圧バスと、
分散電源で生成された直流電圧と、交流電圧とに基づいて、前記電圧バスの電圧を直流電圧に交流電圧が重畳された電圧にするバス電圧設定部と、
前記電圧バスの電圧から交流電圧を抽出し、前記交流電圧から直流電圧を生成する制御回路と、
前記生成された直流電圧が動作電圧として供給され、機器または蓄電池と前記電圧バスとの間を接続または切断する接続回路、あるいは前記機器または前記蓄電池を制御する付随回路とを備えた、給電システム。
【請求項２】
前記バス電圧設定部は、
前記分散電源で生成された直流電圧に交流電圧を重畳して、前記電圧バスへ出力するパワーコンディショナを含む、請求項１記載の給電システム。
【請求項３】
前記パワーコンディショナは、
前記電圧バスの電圧を用いて、前記交流電圧を生成する発振回路と、
前記発振回路から出力される交流電圧と、前記分散電源で生成された直流電圧を重畳する重畳部とを含む、請求項２記載の給電システム。
【請求項４】
前記バス電圧設定部は、それぞれ互いに相違する周波数の交流電圧を生成し、複数個のうちの少なくとも１つの前記交流電圧と、前記分散電源で生成された直流電圧を重畳し、
前記機器または前記蓄電池は、複数個設けられ、
前記接続回路あるいは前記付随回路は、前記機器または前記蓄電池ごとに設けられ、
前記制御回路は、前記接続回路あるいは前記付随回路ごと、または複数個の前記接続回路あるいは前記付随回路ごとに設けられ、かつ前記生成された交流電圧ごとに設けられ、
各制御回路は、対応する１個または複数個の接続回路あるいは付随回路に前記直流電圧を供給し、
各制御回路は、前記重畳された電圧に含まれる、対応する発振回路が出力する交流電圧の周波数成分を通過させるバンドパスフィルタを備え、
各制御回路は、対応する接続回路あるいは付随回路に前記直流電圧を供給する、請求項１に記載の給電システム。
【請求項５】
前記パワーコンディショナは、前記発振回路として第１発振回路および第２発振回路を含み、各発振回路は、互いに相違する周波数の交流電圧を生成し、
前記重畳部は、２個の発振回路のうち少なくとも１つから出力される交流電圧と、前記分散電源で生成された直流電圧を重畳し、
前記接続回路あるいは前記付随回路は、前記機器または前記蓄電池ごとに設けられ、
前記制御回路は、前記接続回路あるいは前記付随回路ごと、または複数個の前記接続回路あるいは前記付随回路ごとに設けられ、
各制御回路は、対応する１個または接続回路あるいは付随回路に前記直流電圧を供給し、
各制御回路は、
前記重畳された電圧に含まれる、前記第１発振回路が出力する交流電圧の周波数成分を通過させ、整流および平滑化して、第１の直流電圧を出力する第１の整流回路と、
前記重畳された電圧に含まれる、前記第２発振回路が出力する交流電圧の周波数成分を通過させ、整流および平滑化して、第２の直流電圧を出力する第２の整流回路とを含み、
前記接続回路あるいは前記付随回路は、
前記電圧バスと、対応する機器または蓄電池との間に設けられ、対応する制御回路から送られる前記第１の直流電圧によって、開閉が制御される第１のスイッチと、
前記電圧バスと、対応する機器または蓄電池との間に設けられ、対応する制御回路から送られる前記第２の直流電圧によって、開閉が制御される第２のスイッチとを含み、
前記第１のスイッチを通じて、前記機器または前記蓄電池から前記電圧バスへの電流が流れ、前記第２のスイッチを通じて、前記電圧バスから前記機器または前記蓄電池への電流が流れる、請求項２に記載の給電システム。
【発明の詳細な説明】
【技術分野】
【０００１】
本発明は、給電システムに関する。
【背景技術】
【０００２】
太陽電池などの分散電源装置で発電した直流電力を交流に変換することなく、直流電力のまま、直流バスを通じて機器や蓄電池に送電する直流給電システムが知られている。
【０００３】
たとえば、特許文献１（特開２０１２−５０１６７号公報）に記載されている直流給電システムでは、分散電源装置、負荷および系統電力システムが接続された直流給電部に蓄電池を直結する。蓄電池はその入出力電流を検出する蓄電池電流検出部を備える。系統電力システムは、系統電力と直流給電部との間に直流を交流に、交流を直流に変換する電力変換器を有する。電力変換器は、蓄電池電流検出部より得られる蓄電池電流情報に基づいて、電力変換器の出力を制御して、蓄電池電流または電力を所定値に制御する。
【先行技術文献】
【特許文献】
【０００４】
【特許文献１】特開２０１２−５０１６７号公報
【発明の概要】
【発明が解決しようとする課題】
【０００５】
ところで、直流バスに蓄電池または機器を接続、切断したり、新たに蓄電池または機器を増設するときに、システム動作中の直流バス電圧が印加されている直流給電線を直接蓄電池または機器に接続すると、蓄電池または機器への突入電流が発生したりして機器損傷故障や感電事故の発生することがあるため、蓄電池または機器との接続、切断を制御する接続回路を設ける必要がある。あるいは、蓄電池、機器の動作を制御する付随回路を設ける必要がある場合もある。この接続回路あるいは付随回路を動作させるための電源電圧は３．３Ｖから２４Ｖで、直流バスで供給される３３０Ｖから４００Ｖの直流電圧よりも低い直流電圧が必要となる。
【０００６】
接続回路あるいは付随回路を動作させる直流電圧は、たとえば、直流バスで供給される直流電圧から生成することができる。しかしながら、太陽光発電等の分散電源からの直流電力をＤＣ／ＡＣインバータでＡＣ２００Ｖの系統電力に接続するパワーコンディショナでは、ＤＣ／ＡＣインバータの入力になる直流バス電圧はＤＣ／ＡＣ変換を効率良く行うために３３０Ｖから４００Ｖの電圧をとることが多い。この高圧の直流バス電圧から低圧の接続回路電源用の直流電圧をスイッチング電源回路により生成する場合、スイッチングレギュータによるパルス幅変調のデューティサイクルが短くなり調整領域が狭くなり制御が難しくなる、また、ノイズの影響が受けやすくなるという問題がある。
【０００７】
それゆえに、本発明の目的は、接続回路あるいは付随回路を動作させるための安定した電圧を生成することができる給電システムを提供することである。
【課題を解決するための手段】
【０００８】
上記課題を解決するために、本発明の給電システムは、電圧バスと、分散電源で生成された直流電圧と、交流電圧とに基づいて、電圧バスの電圧を直流電圧に交流電圧が重畳された電圧にするバス電圧設定部と、電圧バスの電圧から交流電圧を抽出し、交流電圧から直流電圧を生成する制御回路と、生成された直流電圧が動作電圧として供給され、機器または蓄電池と電圧バスとの間を接続または切断する接続回路、あるいは機器または蓄電池を制御する付随回路とを備える。
【０００９】
好ましくは、バス電圧設定部は、分散電源で生成された直流電圧に交流電圧を重畳して、電圧バスへ出力するパワーコンディショナを含む。
【００１０】
好ましくは、機器または蓄電池は、複数個設けられる。接続回路あるいは付随回路は、機器または蓄電池ごとに設けられる。制御回路は、接続回路あるいは付随回路ごとに設けられる。各制御回路は、対応する接続回路あるいは付随回路に直流電圧を供給する。
【００１１】
好ましくは、機器または蓄電池は、複数個設けられる。制御回路は、接続回路あるいは付随回路ごと、または複数個の接続回路あるいは付随回路ごとに設けられる。各制御回路は、対応する１または複数個の接続回路あるいは付随回路に直流電圧を供給する。
【００１２】
好ましくは、パワーコンディショナは、電圧バスの電圧を用いて、交流電圧を生成する発振回路と、発振回路から出力される交流電圧と、分散電源で生成された直流電圧を重畳する重畳部とを含む。
【００１３】
好ましくは、パワーコンディショナは、系統と接続され、系統からの電圧を用いて、交流電圧を生成する発振回路と、発振回路から出力される交流電圧と、分散電源で生成された直流電圧を重畳する重畳部とを含む。
【００１４】
好ましくは、給電システムは、蓄電池と接続される。パワーコンディショナは、蓄電池の電圧を用いて、交流電圧を生成する発振回路と、発振回路から出力される交流電圧と、分散電源で生成された直流電圧を重畳する重畳部とを含む。
【００１５】
好ましくは、バス電圧設定部は、分散電源で生成された直流電圧を電圧バスへ出力するパワーコンディショナと、系統からの交流電圧を低い交流電圧に変換するＡＣ／ＡＣコンバータと、ＡＣ／ＡＣコンバータで生成された交流電圧を電圧バスの電圧に重畳する重畳部とを含む。
【００１６】
好ましくは、バス電圧設定部は、分散電源で生成された直流電圧に交流電圧を重畳して、電圧バスへ出力するパワーコンディショナと、系統からの交流電圧を低い交流電圧に変換するＡＣ／ＡＣコンバータと、ＡＣ／ＡＣコンバータで生成された交流電圧を電圧バスの電圧に重畳する重畳部とを含む。
【００１７】
好ましくは、バス電圧設定部は、スイッチと、分散電源で生成された直流電圧に交流電圧を重畳して、スイッチを介して電圧バスへ出力するパワーコンディショナと、系統からの交流電圧を低い交流電圧に変換するＡＣ／ＡＣコンバータと、ＡＣ／ＡＣコンバータで生成された交流電圧を電圧バスの電圧に重畳する重畳部とを含む。
【００１８】
好ましくは、ＡＣ／ＡＣコンバータは、スイッチがオフのときに、変換を実行する。重畳部は、スイッチがオフのときに、交流電圧の重畳を実行する。
【００１９】
好ましくは、給電システムは、機器または蓄電池を備える。
好ましくは、蓄電池を備え、バス電圧設定部は、分散電源で生成された直流電圧を電圧バスへ出力するパワーコンディショナと、蓄電池からの直流電圧を交流電圧に変換するＤＣ／ＡＣコンバータと、ＤＣ／ＡＣコンバータで生成された交流電圧を電圧バスの電圧に重畳する重畳部とを含む。
【００２０】
好ましくは、蓄電池を備え、バス電圧設定部は、分散電源で生成された直流電圧に交流電圧を重畳して、電圧バスへ出力するパワーコンディショナと、蓄電池からの直流電圧を交流電圧に変換するＤＣ／ＡＣコンバータと、ＤＣ／ＡＣコンバータで生成された交流電圧を電圧バスの電圧に重畳する重畳部とを含む。
【００２１】
好ましくは、蓄電池を備え、バス電圧設定部は、スイッチと、分散電源で生成された直流電圧に交流電圧を重畳して、スイッチを介して電圧バスへ出力するパワーコンディショナと、蓄電池からの直流電圧を交流電圧に変換するＤＣ／ＡＣコンバータと、ＤＣ／ＡＣコンバータで生成された交流電圧を電圧バスの電圧に重畳する重畳部とを含む。
【００２２】
好ましくは、ＤＣ／ＡＣコンバータは、スイッチがオフのときに、変換を実行する。重畳部は、スイッチがオフのときに、交流電圧の重畳を実行する。
【００２３】
好ましくは、バス電圧設定部は、それぞれ互いに相違する周波数の交流電圧を生成し、複数個のうちの少なくとも１つの交流電圧と、分散電源で生成された直流電圧を重畳し、機器または蓄電池は、複数個設けられ、接続回路あるいは付随回路は、機器または蓄電池ごとに設けられ、制御回路は、接続回路あるいは付随回路ごと、または複数個の接続回路あるいは付随回路ごとに設けられ、かつ生成された交流電圧ごとに設けられ、各制御回路は、対応する１個または複数個の接続回路あるいは付随回路に直流電圧を供給し、各制御回路は、重畳された電圧に含まれる、対応する発振回路が出力する交流電圧の周波数成分を通過させるバンドパスフィルタを備え、各制御回路は、対応する接続回路あるいは付随回路に直流電圧を供給する。
【００２４】
好ましくは、各発振回路は、対応する接続回路あるいは付随回路を駆動するための直流電圧に応じた振幅の交流電圧を出力する。
【００２５】
好ましくは、接続回路あるいは付随回路は、電圧バスと、機器または蓄電池との間に設けられ、制御回路から送られる直流電圧によって、開閉が制御されるスイッチを含む。
【００２６】
好ましくは、パワーコンディショナは、機器または蓄電池と電圧バスとの接続時において、突入電流が流れないように、重畳する交流電圧の振幅を制御する。
【００２７】
好ましくは、パワーコンディショナは、発振回路として第１発振回路および第２発振回路を含む。各発振回路は、互いに相違する周波数の交流電圧を生成する。重畳部は、２個の発振回路のうち少なくとも１つから出力される交流電圧と、分散電源で生成された直流電圧を重畳する。接続回路あるいは付随回路は、機器または蓄電池ごとに設けられる。制御回路は、接続回路あるいは付随回路ごと、または複数個の接続回路あるいは付随回路ごとに設けられる。各制御回路は、対応する１個または接続回路あるいは付随回路に直流電圧を供給する。各制御回路は、重畳された電圧に含まれる、第１発振回路が出力する交流電圧の周波数成分を通過させ、整流および平滑化して、第１の直流電圧を出力する第１の整流回路と、重畳された電圧に含まれる、第２発振回路が出力する交流電圧の周波数成分を通過させ、整流および平滑化して、第２の直流電圧を出力する第２の整流回路とを含む。接続回路あるいは付随回路は、電圧バスと、対応する機器または蓄電池との間に設けられ、対応する制御回路から送られる第１の直流電圧によって、開閉が制御される第１のスイッチと、電圧バスと、対応する機器または蓄電池との間に設けられ、対応する制御回路から送られる第２の直流電圧によって、開閉が制御される第２のスイッチとを含む。第１のスイッチを通じて、機器または蓄電池から電圧バスへの電流が流れ、第２のスイッチを通じて、電圧バスから機器または蓄電池への電流が流れる。
【発明の効果】
【００２８】
本発明によれば、接続回路を動作させるための安定した電圧を生成することができる。
【図面の簡単な説明】
【００２９】
【図１】第１の実施形態の給電システムの構成を表わす図である。
【図２】図１に含まれるパワーコンディショナの構成を表わす図である。
【図３】図１に含まれる接続制御回路の構成を表わす図である。
【図４】（ａ）は、図２のノードＡにおける電圧波形を表わす図である。（ｂ）は、図２のノードＢにおける電圧波形を表わす図である。（ｃ）は、図３のノードＣにおける電圧波形を表わす図である。（ｄ）は、図３のノードＤにおける電圧波形を表わす図である。
【図５】第１の実施形態の変形例１のパワーコンディショナの構成を表わす図である。
【図６】第１の実施形態の変形例２のパワーコンディショナの構成を表わす図である。
【図７】第１の実施形態の変形例３のパワーコンディショナの構成を表わす図である。
【図８】第２の実施形態の給電システムの構成を表わす図である。
【図９】第３の実施形態の給電システムの構成を表わす図である。
【図１０】第４の実施形態の給電システムの構成を表わす図である。
【図１１】第４の実施形態のパワーコンディショナの構成を表わす図である。
【図１２】第４の実施形態の変形例１の給電システムの構成を表わす図である。
【図１３】第４の実施形態の変形例３の給電システムの構成を表わす図である。
【図１４】第５の実施形態の給電システムの構成を表わす図である。
【図１５】第５の実施形態の変形例１の給電システムの構成を表わす図である。
【図１６】第５の実施形態の変形例３の給電システムの構成を表わす図である。
【図１７】第１〜第５の実施形態のその他の変形例の給電システムの構成を表わす図である。
【図１８】第６の実施形態の給電システムの構成を表わす図である。
【図１９】図１８のパワーコンディショナの構成を表わす図である。
【図２０】図１８に含まれる接続制御回路あるいは付随制御回路６３−１の構成を表わす図である。
【図２１】図１８に含まれる接続制御回路あるいは付随制御回路６３−２の構成を表わす図である。
【図２２】図１８に含まれる接続制御回路あるいは付随制御回路６３−３の構成を表わす図である。
【図２３】第６の実施形態の第１バンドパスフィルタの構成を表わす図である。
【図２４】パワーコンディショナが、周波数ｆ１，ｆ２，ｆ３の交流電圧を直流電圧に重畳した場合における、複数の箇所での電圧波形を表わす図である。
【図２５】（ａ）は、周波数がｆ１で、振幅が３０Ｖの交流電圧を表わす図である。（ｂ）は、周波数がｆ２で、振幅が４８Ｖの交流電圧を表わす図である。（ｃ）は、周波数がｆ３で、振幅が１０Ｖの交流電圧を表わす図である。
【図２６】第７の実施形態の給電システムの構成を表わす図である。
【図２７】図２６に含まれる接続制御回路あるいは付随制御回路の構成を表わす図である。
【図２８】図２７に含まれる接続回路あるいは付随回路の構成を表わす図である。
【図２９】充電制御用スイッチおよび放電制御用スイッチのゲート−コレクタ電流特性を表わす図である。
【図３０】第８の実施形態の給電システムの構成を表わす図である。
【図３１】図３０に含まれるパワーコンディショナの構成を表わす図である。
【図３２】図３０に含まれる接続制御回路あるいは付随制御回路の構成を表わす図である。
【図３３】図３２に含まれる接続回路あるいは付随回路の構成を表わす図である。
【図３４】パワーコンディショナが、周波数ｆ１，ｆ２の交流電圧を直流電圧に重畳した場合における、複数の箇所での電圧波形を表わす図である。
【発明を実施するための形態】
【００３０】
以下、本発明の実施形態について、図面を用いて説明する。
［第１の実施形態］
図１は、第１の実施形態の給電システムの構成を表わす図である。
【００３１】
図１を参照して、この給電システム１は、電圧バス８１と、制御線８２と、太陽電池１０と、系統電力１２と、パワーコンディショナ１１を含むバス電圧設定部７０１と、接続制御回路あるいは付随制御回路７−１〜７−４と、蓄電池６−１〜６−４と、直流負荷９９とを備える。
【００３２】
パワーコンディショナ１１は、電力会社等から系統電力を買う（買電）とともに、電圧バス８１を通じて、直流負荷９９に電力を供給し、また、必要に応じて蓄電池６−１〜６−４に充電または放電を行い、電力を融通する。また、パワーコンディショナ１１は、余剰電力を電力会社等に売る（売電）ための制御を実行する。パワーコンディショナ１１の主要な機能は、太陽電池１０で生成された直流電圧に交流電圧を重畳して、電圧バス８１へ出力することである。
【００３３】
接続制御回路あるいは付随制御回路７−１〜７−４は、蓄電池６−１〜６−４と電圧バス８１との接続／遮断を制御する。また、蓄電池の作動/停止等の動作を制御する。
【００３４】
蓄電池６−１〜６−４は、パワーコンディショナ１１から出力される余剰電力を蓄積し、また、電力不足時には蓄積した電力を放出して融通する。
【００３５】
電圧バス８１は、蓄電池に直流電力を供給する。電圧バス８１は、電力線対である正母線および負母線で構成される。
【００３６】
太陽電池１０は、分散電源であって直流電圧（たとえば、ＤＣ２００Ｖ）を供給する。
系統電力１２は、電力会社等から受電する交流電圧（たとえば、ＡＣ２００Ｖとする）を供給する。系統電力１２は、単相３線式の商用交流電力系統から供給される。単相３線式の商用交流電力系統は、中性線が抵抗を介して接地されており、中性線以外の２線（Ｒ相線およびＴ相線）を使用してＡＣ２００Ｖを供給する。
【００３７】
図２は、図１のパワーコンディショナの構成を表わす図である。
図２を参照して、パワーコンディショナ１１は、ＤＣ／ＤＣコンバータ４１と、発振回路４３と、重畳部４４と、双方向ＡＣ／ＤＣコンバータ４２と、指令部１５１とを備える。
【００３８】
ＤＣ／ＤＣコンバータ４１は、太陽電池１０から出力される直流電圧（たとえば、ＤＣ２００Ｖ）を直流電圧（ＤＣ４００Ｖ）に変換する。
【００３９】
発振回路４３は、電圧バス８１のノードＢにおける電圧が供給され、交流電圧（ＡＣ２０Ｖ）を生成する。
【００４０】
重畳部４４は、発振回路４３から出力される交流電圧（ＡＣ２０Ｖ）と、ＤＣ／ＤＣコンバータ４１から出力される直流電圧（ＤＣ４００Ｖ）とを重畳する。重畳部４４は、たとえばトランスで構成される。
【００４１】
双方向ＡＣ／ＤＣコンバータ４２は、電圧バス８１から受ける直流電圧を交流電圧に変換して系統電力１２へ供給する。また、双方向ＡＣ／ＤＣコンバータ４２は、系統電力１２から受ける交流電圧を直流電圧に変換して電圧バス８１へ供給する。
【００４２】
指令部１５１は、所定のスケジュール、または利用者からの指示に従って、蓄電池６−１〜６−４と電圧バス８１との接続／遮断を制御するための制御信号を、制御線８２を通じて、接続制御回路あるいは付随制御回路７−１〜７−４へ供給する。
【００４３】
図３は、図１の接続制御回路あるいは付随制御回路７−１の構成を表わす図である。接続制御回路あるいは付随制御回路７−２〜７−４も、これと同様である。
【００４４】
接続制御回路あるいは付随制御回路７−１は、接続回路あるいは付随回路１３−１と制御回路１４−１で構成される。
【００４５】
制御回路１４−１は、電圧バス８１を通じて重畳された電圧を受けて、重畳された電圧から交流電圧を抽出し、交流電圧から直流電圧を生成する。
【００４６】
制御回路１４−１は、トランス５９と、抵抗Ｒ１と、整流回路５３とを含む。整流回路５３−１は、コンデンサＣ１〜Ｃ４と、ダイオードブリッジ５２とを含む。
【００４７】
トランス５９の１次側の一方は、電圧バス８１に接続され、他方は、抵抗Ｒ１（直流機器等の直流負荷）を介してグランドに接続される。
【００４８】
トランス５９の２次側には、交流電圧（ＡＣ２０Ｖ）のみが生成される。トランス５９の２次側は、コンデンサＣ２、Ｃ３、Ｃ４と接続される。コンデンサＣ３の一端と、コンデンサＣ４の一端の間に電圧Ｃが生じる。
【００４９】
ダイオードブリッジ５２は、ダイオードＤ１〜Ｄ４で構成され、電圧Ｃを全波整流する。
【００５０】
平滑コンデンサＣ１は、ダイオードブリッジ５２のノードＮ１とノードＮ２と接続され、ノードＮ１とノードＮ２の間の電圧を平滑化して、直流電圧（ＤＣ１２Ｖ）を生成する。
【００５１】
接続回路あるいは付随回路１３−１は、直流電圧（ＤＣ１２Ｖ）が動作電圧として与えられ、蓄電池６−１と電圧バス８１との間を接続または切断あるいは蓄電池、機器等を制御する。
【００５２】
接続回路あるいは付随回路１３−１は、パワーコンディショナ１１と制御線８２で接続されており、制御線８２を通じて送信される制御信号に基づいて、蓄電池６−１と電圧バス８１との間を接続または切断あるいは蓄電池、機器等を制御する。
【００５３】
次に、上述の給電システムにおける複数のノードにおける電圧について説明する。
図４（ａ）は、図２のノードＡにおける電圧波形を表わす図である。ノードＡの電圧は、ＤＣ／ＤＣコンバータ４１から出力される直流電圧（ＤＣ４００Ｖ）である。
【００５４】
図４（ｂ）は、図２のノードＢにおける電圧波形を表わす図である。ノードＢの電圧は、発振回路４３から出力される交流電圧（ＡＣ２０Ｖ）と、ＤＣ／ＤＣコンバータ４１から出力される直流電圧（ＤＣ４００Ｖ）とが重畳された電圧である。
【００５５】
図４（ｃ）は、図３のノードＣにおける電圧波形を表わす図である。ノードＣの電圧は、ノードＢの重畳された電圧から抽出された交流電圧（ＡＣ２０Ｖ）である。
【００５６】
図４（ｄ）は、図３のノードＤにおける電圧波形を表わす図である。ノードＤの電圧は、ノードＣの電圧を平滑化して得られる直流電圧（ＤＣ１２Ｖ）である。
【００５７】
以上のように、本実施の形態によれば、接続回路あるいは付随回路を動作させるための安定した電圧を生成することができる。この電圧は、蓄電池に送られる電圧バスを用いて伝送されるので、この電圧を伝送するための配線を別途設ける必要がないので、コストを削減できる。
【００５８】
［第１の実施形態の変形例１］
図５は、第１の実施形態の変形例１のパワーコンディショナの構成を表わす図である。
【００５９】
このパワーコンディショナ１０１が、図２のパワーコンディショナ１１と相違する点は、発振回路４３を動作させる電圧である。すなわち、発振回路４３は、ＤＣ／ＤＣコンバータ４１から出力される直流電圧（ＤＣ４００Ｖ）が供給されて、交流電圧（ＡＣ２０Ｖ）を生成する。
【００６０】
［第１の実施形態の変形例２］
図６は、第１の実施形態の変形例２のパワーコンディショナの構成を表わす図である。
【００６１】
このパワーコンディショナ１０２が、図２のパワーコンディショナ１１と相違する点は、発振回路４３を動作させる電圧である。すなわち、発振回路４３は、系統電力１２から出力される交流電圧（ＡＣ２００Ｖ）が供給されて、交流電圧（ＡＣ２０Ｖ）を生成する。
【００６２】
［第１の実施形態の変形例３］
図７は、第１の実施形態の変形例３のパワーコンディショナの構成を表わす図である。
【００６３】
このパワーコンディショナ１０３が、図２のパワーコンディショナ１１と相違する点は、発振回路４３を動作させる電圧である。すなわち、発振回路４３は、蓄電池６−１から出力される直流電圧（ＤＣ３８４Ｖ）が供給されて、交流電圧（ＡＣ２０Ｖ）を生成する。
【００６４】
［第２の実施形態］
図８は、第２の実施形態の給電システムの構成を表わす図である。
【００６５】
この給電システム２が、図１の第１の実施形態の給電システム１と相違する点は、蓄電池６−１〜６−４の代わりに、機器８−１〜８−４が接続されている点である。
【００６６】
ここで、機器８−１〜８−４とは、家庭で使用される空調機、冷蔵庫、洗濯機、テレビ、照明装置、パーソナルコンピュータのような電気機器、オフィスで使用されるコンピュータ、複写機またはファクシミリのような電気機器、店舗で使用されるショーケース、照明装置のような電気機器である。前記電気機器は付随制御回路からの制御信号により作動/停止等を制御できる機能を備えているものを含み、付随制御回路からの制御信号により作動したり停止したりする。
【００６７】
蓄電池６−１〜６−４の代わりに、機器８−１〜８−４を接続した場合でも、第１の実施形態と同様に、接続回路、あるいは付随回路を作動させるための直流電圧が接続回路あるいは付随回路に供給される。接続制御回路あるいは付随制御回路７−１〜７−４は、機器８−１〜８−４と電圧バス８１との接続／遮断を制御する。また、機器の作動/停止等の動作を制御する。
【００６８】
［第３の実施形態］
図９は、第３の実施形態の給電システムの構成を表わす図である。
【００６９】
この給電システム３が、図１の第１の実施形態の給電システム１と相違する点は、接続回路あるいは付随回路と制御回路からなる４つの接続制御回路あるいは付随制御回路７−１〜７−４の代わりに、１つの制御回路１４と、４つの接続回路あるいは付随回路１３−１〜１３−４を設けた点である。
【００７０】
図９の制御回路１４は、図３の制御回路１４−１と同一である。
図９の接続回路あるいは付随回路１３−１〜１３−４は、図３の接続回路あるいは付随回路１３−１と同一である。
【００７１】
第１の実施形態では、電圧バス８１が４つの制御回路１４−１〜１４−４に接続され、各制御回路１４−１〜１４−４で生成された直流電圧（ＤＣ１２Ｖ）が、対応する接続回路あるいは付随回路１３−１〜１３−４に供給された。
【００７２】
これに対して、本実施の形態では、電圧バス８１が１つの制御回路１４に接続され、１つの制御回路１４で生成された直流電圧（ＤＣ１２Ｖ）が、４つの接続回路あるいは付随回路１３−１〜１３−４に供給される。
【００７３】
以上のように、本実施の形態によれば、１つの制御回路で直流電圧を生成して、複数の接続回路あるいは付随回路に供給するので、給電システムを構成する部品の数を減らすことができる。特に、複数の接続回路あるいは付随回路、蓄電池が近接した位置に設けられている場合に有効である。
【００７４】
［第４の実施形態］
図１０は、第４の実施形態の給電システムの構成を表わす図である。
【００７５】
この給電システム４が、図１の第１の実施形態の給電システム１と相違する点は、バス電圧設定部７０２である。バス電圧設定部７０２は、パワーコンディショナ３１と、ＡＣ／ＡＣコンバータ３２と、重畳部３４とを備える。
【００７６】
図１１は、第４の実施形態のパワーコンディショナの構成を表わす図である。
このパワーコンディショナ３１は、図２のパワーコンディショナ１１に含まれる発振回路４３および重畳部４４を含まない。パワーコンディショナ３１のＤＣ／ＤＣコンバータ４１は、太陽電池１０から出力される直流電圧（たとえば、ＤＣ２００Ｖ）を直流電圧（ＤＣ４００Ｖ）に変換して電圧バス８１へ出力する。
【００７７】
ＡＣ／ＡＣコンバータ３２は、系統電力１２から受ける交流電圧（ＡＣ２００Ｖ）を交流電圧（ＡＣ２０Ｖ）に変換して電圧バス８１へ供給する。
【００７８】
重畳部３４は、電圧バス８１の電圧にＡＣ／ＡＣコンバータ３２から出力される交流電圧（ＡＣ２０Ｖ）を重畳する。すなわち、通常時には、重畳部３４は、パワーコンディショナ３１のＤＣ／ＤＣコンバータ４１から電圧バス８１へ出力される直流電圧（ＤＣ４００Ｖ）と、ＡＣ／ＡＣコンバータ３２から出力される交流電圧（ＡＣ２０Ｖ）とを重畳する。パワーコンディショナ３１に異常が発生したり、パワーコンディショナ３１と重畳部３４間のバスが断線していたりする場合には、パワーコンディショナ３１から重畳部３４へ直流電圧（ＤＣ４００Ｖ）が供給されない。この場合には、重畳部３４は、ＡＣ／ＡＣコンバータ３２から出力される交流電圧（ＡＣ２０Ｖ）を電圧バス８１へ供給する。
【００７９】
以上のように、本実施の形態によれば、パワーコンディショナから電圧バスへの電圧の供給がない場合であっても、系統電力の電圧を用いて接続回路の接続または切断を制御することができる。
【００８０】
［第４の実施形態の変形例１］
図１２は、第４の実施形態の変形例１の給電システムの構成を表わす図である。
【００８１】
この給電システム４０４が、図１０の給電システム４と相違する点は、バス電圧設定部７０３である。バス電圧設定部７０３は、パワーコンディショナ１１と、ＡＣ／ＡＣコンバータ３２と、重畳部３４とを備える。
【００８２】
本変形例では、パワーコンディショナ１１は、第１の実施形態のパワーコンディショナ１１と同じである。
【００８３】
すなわち、本変形のパワーコンディショナ１１は、直流電圧（ＤＣ４００Ｖ）と交流電圧（ＡＣ２０Ｖ）を重畳した電圧を電圧バス８１へ出力する。
【００８４】
重畳部３４は、電圧バス８１の電圧にＡＣ／ＡＣコンバータ３２から出力される交流電圧（ＡＣ２０Ｖ）を重畳する。すなわち、通常時には、重畳部３４は、パワーコンディショナ１１から電圧バス８１へ出力される直流電圧（ＤＣ４００Ｖ）と交流電圧（ＡＣ２０Ｖ）が重畳された電圧と、ＡＣ／ＡＣコンバータ３２から出力される交流電圧（ＡＣ２０Ｖ）とを重畳する。パワーコンディショナ１１に異常が発生したり、パワーコンディショナ１１と重畳部３４間のバスが断線していたりする場合には、パワーコンディショナ１１から重畳部３４へ電圧が供給されない。この場合には、重畳部３４は、ＡＣ／ＡＣコンバータ３２から出力される交流電圧（ＡＣ２０Ｖ）を電圧バス８１へ供給する。
【００８５】
［第４の実施形態の変形例２]
第４の実施形態の給電システム４に含まれるＡＣ／ＡＣコンバータ３２および重畳部３４は、パワーコンディショナ３１から電圧バス８１への電圧の供給がない場合のみ、動作するものとしてもよい。
【００８６】
また、同様に、第４の実施形態の変形例１の給電システム４０４に含まれるＡＣ／ＡＣコンバータ３２および重畳部３４は、パワーコンディショナ１１から電圧バス８１への電圧の供給がない場合のみ、動作するものとしてもよい。
【００８７】
［第４の実施形態の変形例３］
図１３は、第４の実施形態の変形例３の給電システムの構成を表わす図である。
【００８８】
本変形例の給電システム４０５のバス電圧設定部７０４では、パワーコンディショナ１１と電圧バス８１との間にスイッチＳＷＡが設けられている。
【００８９】
パワーコンディショナ１１からの電圧を電圧バスに供給するのが適切でない場合（たとえば、蓄電池６−１〜６−４からの電力で直流負荷９９を動作させたいような場合）、あるいは、蓄電池６−１〜６−４からの電力を系統電力１２へ流したくないような場合には、パワーコンディショナ１１内の指令部１５１による制御によってスイッチＳＷＡがオフとなる。また、指令部１５１は、スイッチＳＷＡがオフのときに、ＡＣ／ＡＣコンバータ３２が変換を実行し、重畳部３４が交流電圧の重畳を実行するように制御する。
【００９０】
［第５の実施形態］
図１４は、第５の実施形態の給電システムの構成を表わす図である。
【００９１】
この給電システム５が、図１の第１の実施形態の給電システム１と相違する点は、バス電圧設定部７０５である。バス電圧設定部７０５は、パワーコンディショナ３１と、ＤＣ／ＡＣコンバータ３３と、重畳部３４とを備える。
【００９２】
パワーコンディショナ３１は、図１１に示す第４の実施形態のパワーコンディショナ３１と同じである。
【００９３】
このパワーコンディショナ３１は、図２のパワーコンディショナ１１に含まれる発振回路４３および重畳部４４を含まない。パワーコンディショナ３１のＤＣ／ＤＣコンバータ４１は、太陽電池１０から出力される直流電圧（たとえば、ＤＣ２００Ｖ）を直流電圧（ＤＣ４００Ｖ）に変換して電圧バス８１へ出力する。
【００９４】
ＤＣ／ＡＣコンバータ３３は、蓄電池６−４から出力される直流電圧（ＤＣ３８４Ｖ）を交流電圧（ＡＣ２０Ｖ）に変換する。
【００９５】
重畳部３４は、電圧バス８１の電圧にＤＣ／ＡＣコンバータ３３から出力される交流電圧（ＡＣ２０Ｖ）を重畳する。すなわち、通常時には、重畳部３４は、パワーコンディショナ３１のＤＣ／ＤＣコンバータ４１から電圧バス８１へ出力される直流電圧（ＤＣ４００Ｖ）と、ＤＣ／ＡＣコンバータ３３から出力される交流電圧（ＡＣ２０Ｖ）とを重畳する。パワーコンディショナ３１に異常が発生したり、パワーコンディショナ３１と重畳部３４間のバスが断線していたりする場合には、パワーコンディショナ３１から重畳部３４へ直流電圧（ＤＣ４００Ｖ）が供給されない。この場合には、重畳部３４は、ＤＣ／ＡＣコンバータ３３から出力される交流電圧（ＡＣ２０Ｖ）を電圧バス８１へ供給する。
【００９６】
以上のように、本実施の形態によれば、パワーコンディショナから電圧バスへの電圧の供給がない場合であっても、蓄電池の電圧を用いて接続回路の接続または切断の制御や蓄電池の動作を制御することができる。
【００９７】
［第５の実施形態の変形例１］
図１５は、第５の実施形態の変形例１の給電システムの構成を表わす図である。
【００９８】
この給電システム５０４が、図１４の給電システム５と相違する点は、バス電圧設定部７０６である。バス電圧設定部７０６は、パワーコンディショナ１１と、ＤＣ／ＡＣコンバータ３３と、重畳部３４とを備える。
【００９９】
本変形例では、パワーコンディショナ１１は、第１の実施形態のパワーコンディショナ１１と同じである。
【０１００】
すなわち、本変形のパワーコンディショナ１１は、直流電圧（ＤＣ４００Ｖ）と交流電圧（ＡＣ２０Ｖ）を重畳した電圧を電圧バス８１へ出力する。
【０１０１】
重畳部３４は、電圧バス８１の電圧にＤＣ／ＡＣコンバータ３３から出力される交流電圧（ＡＣ２０Ｖ）を重畳する。すなわち、通常時には、重畳部３４は、パワーコンディショナ１１から電圧バス８１へ出力される直流電圧（ＤＣ４００Ｖ）と交流電圧（ＡＣ２０Ｖ）が重畳された電圧と、ＤＣ／ＡＣコンバータ３３から出力される交流電圧（ＡＣ２０Ｖ）とを重畳する。パワーコンディショナ１１に異常が発生したり、パワーコンディショナ１１と重畳部３４間のバスが断線していたりする場合には、パワーコンディショナ１１から重畳部３４へ電圧が供給されない。この場合には、重畳部３４は、ＤＣ／ＡＣコンバータ３３から出力される交流電圧（ＡＣ２０Ｖ）を電圧バス８１へ供給する。
【０１０２】
［第５の実施形態の変形例２］
第５の実施形態の給電システム５に含まれるＤＣ／ＡＣコンバータ３３および重畳部３４は、パワーコンディショナ３１から電圧バス８１への電圧の供給がない場合のみ、動作するものとしてもよい。
【０１０３】
また、同様に、第５の実施形態の変形例１の給電システム５０４に含まれるＤＣ／ＡＣコンバータ３３および重畳部３４は、パワーコンディショナ１１から電圧バス８１への電圧の供給がない場合のみ、動作するものとしてもよい。
【０１０４】
［第５の実施形態の変形例３］
図１６は、第５の実施形態の変形例３の給電システムの構成を表わす図である。
【０１０５】
本変形例の給電システム５０５のバス電圧設定部７０７では、パワーコンディショナ１１と電圧バス８１との間にスイッチＳＷ１が設けられている。
【０１０６】
パワーコンディショナ１１からの電圧を電圧バスに供給するのが適切でない場合（たとえば、蓄電池６−１〜６−４からの電力で直流負荷９９を動作させたいような場合）、あるいは、蓄電池６−１〜６−４からの電力を系統電力１２へ流したくないような場合には、パワーコンディショナ１１内の指令部１５１による制御によってスイッチＳＷ１がオフとなる。また、指令部１５１は、スイッチＳＷＡがオフのときに、ＤＣ／ＡＣコンバータ３３が変換を実行し、重畳部３４が交流電圧の重畳を実行するように制御する。
【０１０７】
［第１〜第５の実施形態のその他の変形例］
図１７は、その他の変形例の給電システムの構成を表わす図である。
【０１０８】
上述の本発明の実施の形態で例示している電圧バスに重畳する交流電圧（ＡＣ２０Ｖ）を生成するＡＣ／ＡＣコンバータは、電圧変換回路により構成されたものである。
【０１０９】
しかしながら、より安価で構成が簡単に機能を実現させるために、図１７に示すように、バス電圧設定部７０８に含まれる重畳部３４０の結合トランスを出力電圧比１０：１の絶縁トランスにより構成することとしてもよい。つまり、重畳部３４０がＡＣ/ＡＣコンバータの機能を兼ね備える。これにより、ＡＣ２００ＶをＡＣ２０Ｖに変換し電圧バスに直接重畳させることができる。
【０１１０】
［第６の実施形態］
図１８は、第６の実施形態の給電システムの構成を表わす図である。
【０１１１】
この給電システム６１が、図８の第２の実施形態の給電システム２と相違する点は、バス電圧設定部７０１を構成するパワーコンディショナ１１、機器８−１〜８−４、および接続制御回路あるいは付随制御回路７−１〜７−４の代わりに、バス電圧設定部７０９を構成するパワーコンディショナ６２、機器８−１〜８−３、および接続制御回路あるいは付随制御回路６３−１〜６３−３を備えた点である。
【０１１２】
パワーコンディショナ６２は、複数の周波数の交流電圧を重畳して電圧バス８１へ出力する。
【０１１３】
接続制御回路あるいは付随制御回路６３−１〜６３−３は、特定の周波数の交流電力を通過するバンドパスフィルタを有する。これによって、個別に機器毎の接続回路あるいは付随回路１３−１〜１３−３を動作させる電源に適合した電力を供給できる。
【０１１４】
図１９は、パワーコンディショナ６２の構成を表わす図である。
図１９のパワーコンディショナ６２が、図２の第１の実施形態のパワーコンディショナ１１と相違する点は、発振回路４３および重畳部４４の代わりに、第１発振回路４３−１、第２発振回路４３−２、第３発振回路４３−３、重畳部９４を備えた点である。
【０１１５】
第１発振回路４３−１は、電圧バス８１のノードＢにおける電圧が供給され、周波数ｆ１の交流電圧（たとえばＡＣ２０Ｖ）を生成する。第２発振回路４３−２は、電圧バス８１のノードＢにおける電圧が供給され、周波数ｆ２の交流電圧（たとえばＡＣ２０Ｖ）を生成する。第３発振回路４３−３は、電圧バス８１のノードＢにおける電圧が供給され、周波数ｆ３の交流電圧（たとえばＡＣ２０Ｖ）を生成する。これらの発振回路４３−１〜４３−３の周波数ｆ１，ｆ２，ｆ３は、発振回路４３−１〜４３−３内のパラメータを調整することによって任意の値に設定することができる。ｆ１、ｆ２、ｆ３は互いに相違する。
【０１１６】
重畳部９４は、第１発振回路４３−１から出力される周波数ｆ１の交流電圧と、第２発振回路４３−２から出力される周波数ｆ２の交流電圧と、第３発振回路４３−３から出力される周波数ｆ３の交流電圧と、ＤＣ／ＤＣコンバータ４１から出力される直流電圧（ＤＣ４００Ｖ）とを重畳する。
【０１１７】
図２０は、接続制御回路あるいは付随制御回路６３−１の構成を表わす図である。
接続制御回路あるいは付随制御回路６３−１内の制御回路６４−１は、第１発振回路４３−１に対応する。
【０１１８】
この接続制御回路あるいは付随制御回路６３−１が、図３の接続制御回路あるいは付随制御回路７−１と相違する点は、整流回路６８−１が第１バンドパスフィルタ６５−１を備える点である。
【０１１９】
第１バンドパスフィルタ６５−１は、コンデンサＣ２の一端とコンデンサＣ３の一端の間、およびコンデンサＣ２の他端とコンデンサＣ４の一端の間に設けられる。第１バンドパスフィルタ６５−１は、周波数ｆ１の交流電圧を通過させる。
【０１２０】
図２１は、接続制御回路あるいは付随制御回路６３−２の構成を表わす図である。
接続制御回路あるいは付随制御回路６３−２内の制御回路６４−２は、第２発振回路４３−２に対応する。
【０１２１】
この接続制御回路あるいは付随制御回路６３−２が、図３の接続制御回路あるいは付随制御回路７−１と相違する点は、整流回路６８−２が第２バンドパスフィルタ６５−２を備える点である。
【０１２２】
第２バンドパスフィルタ６５−２は、コンデンサＣ２の一端とコンデンサＣ３の一端の間、およびコンデンサＣ２の他端とコンデンサＣ４の一端の間に設けられる。第２バンドパスフィルタ６５−２は、周波数ｆ２の交流電圧を通過させる。
【０１２３】
図２２は、接続制御回路あるいは付随制御回路６３−３の構成を表わす図である。
接続制御回路あるいは付随制御回路６３−３内の制御回路６４−３は、第３発振回路４３−３に対応する。
【０１２４】
この接続制御回路あるいは付随制御回路６３−３が、図３の接続制御回路あるいは付随制御回路７−１と相違する点は、整流回路６８−３が第３バンドパスフィルタ６５−３を備える点である。
【０１２５】
第３バンドパスフィルタ６５−３は、コンデンサＣ２の一端とコンデンサＣ３の一端の間、およびコンデンサＣ２の他端とコンデンサＣ４の一端の間に設けられる。第３バンドパスフィルタ６５−３は、周波数ｆ３の交流電圧を通過させる。
【０１２６】
図２３は、第１バンドパスフィルタ６５−１の構成を表わす図である。第２バンドパスフィルタ６５−２および第３バンドパスフィルタ６５−３の構成もこれと同様である。
【０１２７】
第１バンドパスフィルタ６５−１は、オペアンプＯＰと、抵抗素子Ｒ２〜Ｒ４、コンデンサＣ５，Ｃ６とを備える。第１バンドパスフィルタ６５−１の通過周波数は、抵抗素子Ｒ２〜Ｒ４の抵抗値、およびコンデンサＣ５，Ｃ６の容量値を調整することによって、第１発振回路４３−１の発振周波数ｆ１と一致させることができる。
【０１２８】
同様に、第２バンドパスフィルタ６５−２の通過周波数は、抵抗素子Ｒ２〜Ｒ４の抵抗値、およびコンデンサＣ５，Ｃ６の容量値を調整することによって、第２発振回路４３−２の発振周波数ｆ２と一致させることができる。第３バンドパスフィルタ６５−３の通過周波数は、抵抗素子Ｒ２〜Ｒ４の抵抗値、およびコンデンサＣ５，Ｃ６の容量値を調整することによって、第３発振回路４３−３の発振周波数ｆ３と一致させることができる。
【０１２９】
たとえば、機器８−１と接続される接続回路あるいは付随回路１３−１を駆動する場合は、パワーコンディショナ６２が、周波数ｆ１の交流電圧を直流電圧に重畳する。接続回路あるいは付随回路１３−１を制御する制御回路６４−１が、直流電圧に重畳された周波数ｆ１の交流電圧を抽出し、整流および平滑化された直流電圧で接続回路あるいは付随回路１３−１を駆動する。
【０１３０】
また、機器８−２と接続される接続回路あるいは付随回路１３−２を駆動する場合は、パワーコンディショナ６２が、周波数ｆ２の交流電圧を直流電圧に重畳する。接続回路あるいは付随回路１３−２を制御する制御回路６４−２が、直流電圧に重畳された周波数ｆ２の交流電圧を抽出し、整流および平滑化された直流電圧で接続回路あるいは付随回路１３−２を駆動する。
【０１３１】
また、機器８−３と接続される接続回路あるいは付随回路１３−３を駆動する場合は、パワーコンディショナ６２が、周波数ｆ３の交流電圧を直流電圧に重畳する。接続回路あるいは付随回路１３−３を制御する制御回路６４−３が、直流電圧に重畳された周波数ｆ３の交流電圧を抽出し、整流および平滑化された直流電圧で接続回路あるいは付随回路１３−３を駆動する。
【０１３２】
図２４は、パワーコンディショナ６２が、周波数ｆ１，ｆ２，ｆ３の交流電圧を直流電圧に重畳した場合における、複数の箇所での電圧波形を表わす図である。
【０１３３】
図２４（ａ）は、ノードＢにおける電圧波形を表わす図である。
ノードＢの電圧は、第１発振回路４３−１から出力される周波数ｆ１の交流電圧と、第２発振回路４３−２から出力される周波数ｆ２の交流電圧と、第３発振回路４３−３から出力される周波数ｆ３の交流電圧と、双方向ＡＣ／ＤＣコンバータ４２から出力される直流電圧とが重畳された電圧である。
【０１３４】
図２４（ｂ）は、接続制御回路あるいは付随制御回路６３−１のノードＣにおける電圧波形を表わす図である。
【０１３５】
接続制御回路あるいは付随制御回路６３−１のノードＣの電圧は、第１バンドパスフィルタ６５−１で抽出された周波数ｆ１の交流電圧である。
【０１３６】
図２４（ｃ）は、接続制御回路あるいは付随制御回路６３−１のノードＤにおける電圧波形を表わす図である。
【０１３７】
接続制御回路あるいは付随制御回路６３−１のノードＤにおける電圧は、ノードＣの電圧を整流および平滑化した電圧である。このノードＤの電圧は、接続回路あるいは付随回路１３−１を駆動するための電圧である。
【０１３８】
図２４（ｄ）は、接続制御回路あるいは付随制御回路６３−２のノードＣにおける電圧波形を表わす図である。
【０１３９】
接続制御回路あるいは付随制御回路６３−２のノードＣの電圧は、第２バンドパスフィルタ６５−２で抽出された周波数ｆ２の交流電圧である。
【０１４０】
図２４（ｅ）は、接続制御回路あるいは付随制御回路６３−２のノードＤにおける電圧波形を表わす図である。
【０１４１】
接続制御回路あるいは付随制御回路６３−２のノードＤにおける電圧は、ノードＣの電圧を整流および平滑化した電圧である。このノードＤの電圧は、接続回路あるいは付随回路１３−２を駆動するための電圧である。
【０１４２】
図２４（ｆ）は、接続制御回路あるいは付随制御回路６３−３のノードＣにおける電圧波形を表わす図である。
【０１４３】
接続制御回路あるいは付随制御回路６３−３のノードＣの電圧は、第３バンドパスフィルタ６５−３で抽出された周波数ｆ３の交流電圧である。
【０１４４】
図２４（ｇ）は、接続制御回路あるいは付随制御回路６３−３のノードＤにおける電圧波形を表わす図である。
【０１４５】
接続制御回路あるいは付随制御回路６３−３のノードＤにおける電圧は、ノードＣの電圧を整流および平滑化した電圧である。このノードＤの電圧は、接続回路あるいは付随回路１３−３を駆動するための電圧である。
【０１４６】
以上のように、本実施の形態によれば、重畳させる交流電圧の周波数を変え、かつ、供給先にバンドパスフィルタを設けることによって、指定の機器の接続回路あるいは付随回路に選択的に電力が供給できる。これにより、重畳電力の供給先を指定することができ、また接続回路あるいは付随回路電圧の動作電圧が異なる場合にも使用可能である。また、機器を追加設置した場合でも追加機器毎に直流バス経由で接続回路あるいは付随回路に選択的に電力が供給ができるので、新たに別の電源ラインを設置しなくてもよい。
【０１４７】
第６の実施形態では、パワーコンディショナ６２が複数の発信回路４３−１〜４３−３を備える構成としたがこれに限定されない。例えば、周波数ｆ１、ｆ２、ｆ３（夫々図２４の（ｂ）、（ｄ）、（ｆ））の交流電圧が、接続制御回路あるいは付随制御回路６３−１〜３の各バンドパスフィルタ６５−１〜３で抽出できるように、図２４（ａ）の合成波形を生成できる機能を有する発信回路であればひとつの発信回路でも構わない。この場合、バンドパスフィルタ側で抽出される最高の周波数（本実施形態では周波数ｆ１）よりも十分高い周波数の搬送波であれば、図２４（ａ）の合成波形と同じ波形をトレース生成することが可能である。
【０１４８】
また、第６の実施形態では、発信回路４３−１〜４３−３に供給される電圧について、第１の実施形態と同様に、電圧バス８１のノードＢにおける電圧が供給され、夫々の発信回路が夫々の周波数の交流電圧を生成する構成としたがこれに限定されない。例えば、第１の実施形態の変形例１と同様に、発信回路４３−１〜４３−３は、ＤＣ／ＤＣコンバータ４１から出力される直流電圧が供給されて、夫々の発信回路が夫々の周波数の交流電圧を生成しても良い。また、第１の実施形態の変形例２と同様に、発信回路４３−１〜４３−３は、系統電力１２から出力される交流電圧が供給されて、夫々の発信回路が夫々の周波数の交流電圧を生成しても良い。また、第１の実施形態の変形例３と同様に、発信回路４３−１〜４３−３は、蓄電池６−１から出力される直流電圧が供給されて、夫々の発信回路が夫々の周波数の交流電圧を生成しても良い。
【０１４９】
また、第６の実施形態では、発信回路４３−１〜４３−３及び重畳部８４をパワーコンディショナ６２に含む構成としたがこれに限定されない。例えば、第４の実施形態と同様に、パワーコンディショナ３１は発信回路及び重畳部を含まず、発信回路４３−１〜４３−３を夫々有する複数（３つ）のＡＣ／ＡＣコンバータと、さらに重畳部３４を有する構成としても良い。この場合、重畳部３４がパワーコンディショナ３１内のＤＣ／ＤＣコンバータ４１から電圧バス８１へ出力される直流電圧と、複数（３つ）のＡＣ／ＡＣコンバータの夫々から出力される異なる周波数の交流電圧とを重畳する。また、第５の実施形態と同様に、パワーコンディショナ３１は発信回路及び重畳部を含まず、発信回路４３−１〜４３−３を夫々有する複数（３つ）のＤＣ／ＡＣコンバータと、さらに重畳部３４を有する構成としても良い。この場合、重畳部３４がパワーコンディショナ３１内のＤＣ／ＤＣコンバータ４１から電圧バス８１へ出力される直流電圧と、複数（３つ）のＤＣ／ＡＣコンバータの夫々から出力される異なる周波数の交流電圧とを重畳する。
【０１５０】
［第６の実施形態の変形例１］
第６の実施形態では、複数の機器と接続された給電システムについて説明したが、これに限定するものではなく、複数の蓄電池と接続された給電システム、または１個以上の機器と１個以上の蓄電池と接続された給電システムにも適用できる。
【０１５１】
［第６の実施形態の変形例２］
第６の実施形態では、電圧バス８１が３つの制御回路６４−１〜６４−３に接続され、各制御回路６３−１〜６３−３で生成された直流電圧が、対応する接続回路あるいは付随回路１３−１〜１３−３に供給されたが、これに限定するものではない。
【０１５２】
たとえば、機器８−１および機器８−２とは常に同時に動作する場合には、パワーコンディショナ６２内に周波数ｆ１の交流電圧を出力する発振回路Ａと、周波数ｆ２の交流電圧を出力する発振回路Ｂを設ける。また、発振回路Ａに対応し、かつ通過周波数ｆ１のバンドパスフィルタを含む制御回路Ａと、発振回路Ｂに対応し、かつ通過周波数ｆ２のバンドパスフィルタを含む制御回路Ｂに電圧バス８１が接続される。そして、制御回路Ａで生成された直流電圧が接続回路あるいは付随回路１３−１，１３−２に供給され、制御回路Ｂで生成された直流電圧が接続回路あるいは付随回路１３−３に供給されるものとしてもよい。
【０１５３】
［第６の実施形態の変形例３］
図２４の例では、重畳部９４は、第１発振回路４３−１から出力される周波数ｆ１の交流電圧と、第２発振回路４３−２から出力される周波数ｆ２の交流電圧と、第３発振回路４３−３から出力される周波数ｆ３の交流電圧と、双方向ＡＣ／ＤＣコンバータ４２から出力される直流電圧とを重畳したが、これに限定されるものではない。
【０１５４】
重畳部９４は、第１発振回路４３−１から出力される周波数ｆ１の交流電圧と、第２発振回路４３−２から出力される周波数ｆ２の交流電圧と、第３発振回路４３−３から出力される周波数ｆ３の交流電圧のうち少なくとも１つと、双方向ＡＣ／ＤＣコンバータ４２から出力される直流電圧とを重畳すればよい。
たとえば、機器８−２のみを動作させたい場合には、重畳部９４は、第２発振回路４３−２から出力される周波数ｆ２の交流電圧と、双方向ＡＣ／ＤＣコンバータ４２から出力される直流電圧とを重畳すればよい。
【０１５５】
［第６の実施形態の変形例４］
第６の実施形態では、機器８−１〜８−３と接続される接続回路あるいは付随回路１３−１〜１３−３は、すべて同一の大きさの直流電圧で駆動されることを前提としたため、第１発振回路４３−１、第２発振回路４３−２、および第３発振回路４３−３が、すべて同一の振幅の交流電圧を出力することとしたが、これに限定するものではない。
【０１５６】
接続回路あるいは付随回路１３−１〜１３−３を駆動するための直流電圧の大きさが相違する場合には、第１発振回路４３−１、第２発振回路４３−２、および第３発振回路４３−３が、対応する接続回路あるいは付随回路１３−１〜１３−３を駆動するための直流電圧の大きさに応じた振幅の交流電圧を出力すればよい。
【０１５７】
第１発振回路４３−１が、図２５（ａ）に示すように、周波数がｆ１で、振幅が３０Ｖの交流電圧を出力する。第２発振回路４３−２が、図２５（ｂ）に示すように、周波数がｆ２で、振幅が４８Ｖの交流電圧を出力する。第２発振回路４３−３が、図２５（ｃ）に示すように、周波数がｆ３で、振幅が１０Ｖの交流電圧を出力する。
【０１５８】
たとえば、機器８−１と接続される１５Ｖ駆動の接続回路あるいは付随回路１３−１を駆動する場合は、パワーコンディショナ６２が、周波数ｆ１で、振幅３０Ｖの交流電圧を直流電圧に重畳する。接続回路あるいは付随回路１３−１を制御する制御回路６４−１が、直流電圧に重畳された周波数ｆ１で振幅３０Ｖの交流電圧を抽出し、整流および平滑化された直流電圧で接続回路あるいは付随回路１３−１を駆動する。
【０１５９】
機器８−２と接続される２４Ｖ駆動の接続回路あるいは付随回路１３−２を駆動する場合は、パワーコンディショナ６２が、周波数ｆ２で、振幅４８Ｖの交流電圧を直流電圧に重畳する。接続回路あるいは付随回路１３−２を制御する制御回路６４−２が、直流電圧に重畳された周波数ｆ２で振幅４８Ｖの交流電圧を抽出し、整流および平滑化された直流電圧で接続回路あるいは付随回路１３−２を駆動する。
【０１６０】
機器８−３と接続される５Ｖ駆動の接続回路あるいは付随回路１３−３を駆動する場合は、パワーコンディショナ６２が、周波数ｆ３で、振幅１０Ｖの交流電圧を直流電圧に重畳する。接続回路あるいは付随回路１３−３を制御する制御回路６４−３が、直流電圧に重畳された周波数ｆ３で振幅１０Ｖの交流電圧を抽出し、整流および平滑化された直流電圧で接続回路あるいは付随回路１３−３を駆動する。
【０１６１】
［第７の実施形態］
図２６は、第７の実施形態の給電システムの構成を表わす図である。
【０１６２】
この給電システム７１が、図１の第１の実施形態の給電システム１と相違する点は、バス電圧設定部７０１を構成するパワーコンディショナ１１、接続制御回路あるいは付随制御回路７−１〜７−４の代わりに、バス電圧設定部７１０を構成するパワーコンディショナ７９、接続制御回路あるいは付随制御回路７２−１〜７２−４を備えた点である。また、図１の第１の実施形態の給電システム１では、接続制御回路あるいは付随制御回路７−１〜７−４と、パワーコンディショナ１１とが制御線８２で接続されていたのに対して、図２６の第７の実施形態の給電システム７１では、接続制御回路あるいは付随制御回路７２−１〜７２−４と、パワーコンディショナ７９とが制御線で接続されていない。
【０１６３】
図２７は、接続制御回路あるいは付随制御回路７２−１の構成を表わす図である。接続制御回路あるいは付随制御回路７２−２，７２−３の構成も、これと同様である。
【０１６４】
この接続制御回路あるいは付随制御回路７２−１が、図３の接続制御回路あるいは付随制御回路７−１と相違する点は、接続回路あるいは付随回路１３−１の代わりに、接続回路あるいは付随回路７３−１を備える点である。
【０１６５】
第１の実施形態の接続回路あるいは付随回路１３−１は、パワーコンディショナ１１と制御線８２で接続されており、制御線８２を通じて送信される制御信号に基づいて、蓄電池６−１と電圧バス８１との間を接続または切断した。
【０１６６】
これに対して、本実施の形態の接続回路あるいは付随回路７３−１は、パワーコンディショナ７９からの制御信号によらずに、内部のスイッチの電圧電流特性に基づいて、蓄電池６−１と電圧バス８１との間を接続または切断する。
【０１６７】
図２８は、接続回路あるいは付随回路７３−１の構成を表わす図である。
接続回路あるいは付随制御回路７３−１は、ＩＧＢＴで構成される充電制御用スイッチＳＷ１および放電制御用スイッチＳＷ２を含む。
【０１６８】
充電制御用スイッチＳＷ１および放電制御用スイッチＳＷ２のゲートには、整流回路５３−１で生成された直流電圧ＧＥを受ける。
【０１６９】
充電制御用スイッチＳＷ１のゲートがオンとなると、蓄電池６−１と電圧バス８１とが接続され、電圧バス８１から蓄電池６−１へ電流が流れ、蓄電池６−１が充電される。充電制御用スイッチＳＷ１のゲートがオフとなると、蓄電池６−１と電圧バス８１の接続が切断され、蓄電池６−１の充電が行なわれない。
【０１７０】
放電制御用スイッチＳＷ２のゲートがオンとなると、蓄電池６−１と電圧バス８１とが接続され、蓄電池６−１から電圧バス８１へ電流が流れ、蓄電池６−１が放電される。放電制御用スイッチＳＷ２のゲートがオフとなると、蓄電池６−１と電圧バス８１との接続が切断され、蓄電池６−１の放電が行なわれない。
【０１７１】
パワーコンディショナ７９内の指令部は、蓄電池６−１の充電時および発電時に、発振回路が出力する交流電圧の振幅を制御することによって、充電制御用スイッチＳＷ１および放電制御用スイッチＳＷ２に与えられるゲート電圧が蓄電池６−１と電圧バス８１の接続時に突入電流が発生しないような電圧に設定する。
【０１７２】
たとえば、充電制御用スイッチＳＷ１および放電制御用スイッチＳＷ２が、図２９のようなゲート−コレクタ電流特性を持つとする。
【０１７３】
このような特性を有するスイッチＳＷ１，ＳＷ２は、ゲート電圧０Ｖ以上４Ｖ以下の範囲では、コレクタ電流はほとんど流れず、ゲート電圧が４Ｖよりも大きく８Ｖ以下の範囲では、ゲート電圧を制御することでコレクタ電流を所望の電流値以下に制限させることができる。
【０１７４】
たとえば、パワーコンディショナ７９内の指令部１５１は、蓄電池６−１と電圧バス８１の接続当初において、スイッチＳＷ１，ＳＷ２のゲート電圧が４Ｖ以下となるような振幅の交流電圧を発振回路４３から出力させる。一定時間経過後、パワーコンディショナ７９内の指令部１５１は、スイッチＳＷ１，ＳＷ２のゲート電圧が除々に増加し、８Ｖ以上となるような振幅の交流電圧を発振回路４３から出力させる。
【０１７５】
以上のように、本実施の形態によって、突入電流を抑えながら定格電力を低損失で接続することができる給電システムを提供することができる。また、この給電システムの接続回路あるいは付随回路は、パワーコンディショナらの制御信号によって制御されないので、制御信号線を配線できない場所にも設置することができる。
【０１７６】
［第７の実施形態の変形例１］
第７の実施形態では、複数の蓄電池と接続された給電システムについて説明したが、これに限定するものではなく、複数の機器と接続された給電システム、１個以上の機器と１個以上の蓄電池と接続された給電システムにも適用できる。
【０１７７】
［第８の実施形態］
直流給電システムにおいて、蓄電池残量が第１規定値以下になる過放電や蓄電池が第２規定値以上になる過充電が起こる場合がある。本実施の形態では、過放電では充電方向の電流の流れを制御するスイッチをオンにし、かつ放電方向の電流の流れを制御するスイッチをオフにして充電はできるが放電はしないようにする。また、過充電では放電方向の電流の流れを制御するスイッチをオンにし、かつ充電方向の電流の流れを制御するスイッチをオフにして放電はできるが充電はしないようにする。これによって、蓄電池残量を適正値に保つことができる。
【０１７８】
図３０は、第８の実施形態の給電システムの構成を表わす図である。
この給電システム７４が、図１の第１の実施形態の給電システム１と相違する点は、バス電圧設定部７０１を構成するパワーコンディショナ１１、接続制御回路あるいは付随制御回路７−１〜７−４の代わりに、バス電圧設定部７１１を構成するパワーコンディショナ８５、接続制御回路あるいは付随制御回路８２−１〜８２−４を備えた点である。また、図１の第１の実施形態の給電システム１では、接続制御回路あるいは付随制御回路７−１〜７−４と、パワーコンディショナ１１とが制御線８２で接続されていたのに対して、図３０の第８の実施形態の給電システム７４では、接続制御回路あるいは付随制御回路８２−１〜８２−４と、パワーコンディショナ８５とが制御線で接続されていない。
【０１７９】
図３１は、パワーコンディショナ８５の構成を表わす図である。
図３１のパワーコンディショナ８５が、図２の第１の実施形態のパワーコンディショナ１１と相違する点は、発振回路４３および重畳部４４の代わりに、第１発振回路９３−１、第２発振回路９３−２、重畳部８４を備えた点である。
【０１８０】
第１発振回路９３−１は、電圧バス８１のノードＢにおける電圧が供給され、周波数ｆ１の交流電圧を生成する。第２発振回路９３−２は、電圧バス８１のノードＢにおける電圧が供給され、周波数ｆ２の交流電圧を生成する。ｆ１とｆ２は相違する。
【０１８１】
重畳部８４は、第１発振回路９３−１から出力される周波数ｆ１の交流電圧と、第２発振回路９３−２から出力される周波数ｆ２の交流電圧と、ＤＣ／ＤＣコンバータ４１から出力される直流電圧（ＤＣ４００Ｖ）とを重畳する。
【０１８２】
指令部１５１は、蓄電池残量が第１規定値以下となった場合などに、蓄電池６−１〜６−４を充電するときには、第１発振回路９３−１に周波数ｆ１の交流電圧を生成させる。指令部１５１は、蓄電池残量が第２規定値以上となった場合などに、蓄電池６−１〜６−４を放電する場合には、第２発振回路９３−２に周波数ｆ２の交流電圧を生成させる。
【０１８３】
図３２は、接続制御回路あるいは付随制御回路８２−１の構成を表わす図である。接続制御回路あるいは付随制御回路８２−２，８２−３の構成も、これと同様である。
【０１８４】
この接続制御回路あるいは付随制御回路８２−１が、図３の接続制御回路あるいは付随制御回路７−１と相違する点は、２つの整流回路８９−Ａおよび８９−Ｂを備える点である。
【０１８５】
整流回路８９−Ａは、図２０の整流回路６８−１に含まれる第１バンドパスフィルタ６５−１と同様の第１バンドパスフィルタ６５−Ａを備える。整流回路８９−Ｂは、図２１の整流回路６８−２に含まれる第２バンドパスフィルタ６５−２と同様の第２バンドパスフィルタ６５−Ｂを備える。
【０１８６】
第１バンドパスフィルタ６５−Ａは、整流回路８９−Ａ内のコンデンサＣ２の一端とコンデンサＣ３の一端の間、およびコンデンサＣ２の他端とコンデンサＣ４の一端の間に設けられる。第１バンドパスフィルタ６５−Ａは、周波数ｆ１の交流電圧を通過させる。整流回路８９−Ａ内のダイオードブリッジ５２および平滑コンデンサＣ１によって、周波数ｆ１の交流電圧が整流および平滑化されて、直流電圧ＧＥ１が接続回路あるいは付随回路１７３−１へ供給される。
【０１８７】
第２バンドパスフィルタ６５−Ｂは、整流回路８９−Ｂ内のコンデンサＣ２の一端とコンデンサＣ３の一端の間、およびコンデンサＣ２の他端とコンデンサＣ４の一端の間に設けられる。第２バンドパスフィルタ６５−Ｂは、周波数ｆ２の交流電圧を通過させる。整流回路８９−Ｂ内のダイオードブリッジ５２および平滑コンデンサＣ１によって、周波数ｆ２の交流電圧が整流および平滑化されて、直流電圧ＧＥ２が接続回路あるいは付随回路１７３−１へ供給される。
【０１８８】
図３３は、接続回路あるいは付随回路１７３−１の構成を表わす図である。
接続回路あるいは付随制御回路１７３−１は、ＩＧＢＴで構成される充電制御用スイッチＳＷ１および放電制御用スイッチＳＷ２を含む。
【０１８９】
充電制御用スイッチＳＷ１のゲートには、整流回路８９−Ａで生成された直流電圧ＧＥ１を受ける。充電制御用スイッチＳＷ１のゲートがオンとなると、蓄電池６−１と電圧バス８１とが接続され、電圧バス８１から蓄電池６−１へ電流が流れ、蓄電池６−１が充電される。充電制御用スイッチＳＷ１のゲートがオフとなると、蓄電池６−１と電圧バス８１の接続が切断され、蓄電池６−１の充電が行なわれない。
【０１９０】
放電制御用スイッチＳＷ２のゲートには、整流回路８９−Ｂで生成された直流電圧ＧＥ２を受ける。放電制御用スイッチＳＷ２のゲートがオンとなると、蓄電池６−１と電圧バス８１とが接続され、蓄電池６−１から電圧バス８１へ電流が流れ、蓄電池６−１が放電される。放電制御用スイッチＳＷ２のゲートがオフとなると、蓄電池６−１と電圧バス８１との接続が切断され、蓄電池６−１の放電が行なわれない。
【０１９１】
パワーコンディショナ８５内の指令部１５１は、第７の実施形態と同様に、第１発振回路９３−１が出力する交流電圧の振幅を制御することによって、充電制御用スイッチＳＷ１に与えられるゲート電圧ＧＥ１が蓄電池６−１と電圧バス８１の接続時の突入電力が発生しないような電圧に設定する。
【０１９２】
パワーコンディショナ８５内の指令部１５１は、第７の実施形態と同様に、第２発振回路９３−２が出力する交流電圧の振幅を制御することによって、放電制御用スイッチＳＷ２に与えられるゲート電圧ＧＥ２が蓄電池６−１と電圧バス８１の接続時の突入電力が発生しないような電圧に設定する。
【０１９３】
図３４は、パワーコンディショナ８５が、周波数ｆ１，ｆ２の交流電圧を直流電圧に重畳した場合における、複数の箇所での電圧波形を表わす図である。
【０１９４】
図３４（ａ）は、ノードＢにおける電圧波形を表わす図である。
ノードＢの電圧は、第１発振回路９３−１から出力される周波数ｆ１の交流電圧と、第２発振回路９３−２から出力される周波数ｆ２の交流電圧と、双方向ＡＣ／ＤＣコンバータ４２から出力される直流電圧とが重畳された電圧である。
【０１９５】
図３４（ｂ）は、接続制御回路あるいは付随制御回路８２−１の整流回路８９−ＡのノードＣにおける電圧波形を表わす図である。
【０１９６】
整流回路８９−ＡのノードＣの電圧は、第１バンドパスフィルタ６５−Ａで抽出された周波数ｆ１の交流電圧である。
【０１９７】
図３４（ｃ）は、接続制御回路あるいは付随制御回路８２−１の整流回路８９−ＡのノードＤにおける電圧波形を表わす図である。
【０１９８】
整流回路８９−ＡのノードＤにおける電圧は、ノードＣの電圧を整流および平滑化した電圧である。このノードＤの電圧ＧＥ１は、接続回路あるいは付随回路１７３−１内の充電制御用スイッチＳＷ１のゲートに送られる。
【０１９９】
図３４（ｄ）は、接続制御回路あるいは付随制御回路８２−１の整流回路８９−ＢのノードＣにおける電圧波形を表わす図である。
【０２００】
整流回路８９−ＢのノードＣの電圧は、第２バンドパスフィルタ６５−Ｂで抽出された周波数ｆ２の交流電圧である。
【０２０１】
図３４（ｅ）は、接続制御回路あるいは付随制御回路８２−１の整流回路８９−ＢのノードＤにおける電圧波形を表わす図である。
【０２０２】
整流回路８９−ＢのノードＤにおける電圧は、ノードＣの電圧を整流および平滑化した電圧である。このノードＤの電圧ＧＥ２は、接続回路あるいは付随回路１７３−１内の放電制御用スイッチＳＷ２のゲートに送られる。
【０２０３】
以上のように、本実施の形態によれば、太陽電池などの分散電源装置で発電した直流電力を交流に変換することなく、直流電力のまま、直流バスを通じて機器や蓄電池に送電する直流給電システムにおいて、蓄電池を接続、増設させる際に、直流バスと蓄電池または機器との接続、切断を充電方向、放電方向各々独立して制御でき、簡易な構成で接続時に突入電流を制御することができる。
【０２０４】
［第８の実施形態の変形例１］
第８の実施形態では、複数の蓄電池と接続された給電システムについて説明したが、これに限定するものではなく、複数の機器と接続された給電システム、または１個以上の機器と１個以上の蓄電池と接続された給電システムにも適用できる。
【０２０５】
［第８の実施形態の変形例２］
第８の実施形態では、電圧バス８１が４つの制御回路に接続され、各制御回路で生成された直流電圧が、対応する接続回路あるいは付随回路に供給されたが、これに限定するものではない。
【０２０６】
たとえば、電圧バス８１が１つの制御回路に接続され、１つの制御回路で生成された直流電圧が、４つの接続回路あるいは付随回路に供給されるものであってもよい。また、電圧バス８１が２つの制御回路ＡおよびＢに接続され、制御回路Ａで生成された直流電圧が、２つの接続回路あるいは付随回路に供給され、制御回路Ｂで生成された直流電圧が、残りの２つの接続回路あるいは付随回路に供給されるものであってもよい。
【０２０７】
その他、実施の形態に記載された内容の一部を以下に記載する。
（１）請求項Ａ
電圧バスと、
分散電源で生成された直流電圧と、交流電圧とに基づいて、前記電圧バスの電圧を直流電圧に交流電圧が重畳された電圧にするバス電圧設定部と、
前記電圧バスの電圧から交流電圧を抽出し、前記交流電圧から直流電圧を生成する制御回路と、
前記生成された直流電圧が動作電圧として供給され、機器または蓄電池と前記電圧バスとの間を接続または切断する接続回路、あるいは前記機器または前記蓄電池を制御する付随回路とを備えた、給電システム。
【０２０８】
この発明によれば、接続回路あるいは付随回路を動作させるための安定した電圧を生成することができる。
【０２０９】
（２）請求項Ｂ
前記バス電圧設定部は、
前記分散電源で生成された直流電圧に交流電圧を重畳して、前記電圧バスへ出力するパワーコンディショナを含む、請求項Ａ記載の給電システム。
【０２１０】
この発明によれば、パワーコンディショナ内で分散電源の直流電圧と交流電圧途を重畳することができる。
【０２１１】
（３）請求項Ｃ
前記機器または前記蓄電池は、複数個設けられ、
前記接続回路あるいは前記付随回路は、前記機器または前記蓄電池ごとに設けられ、
前記制御回路は、前記接続回路あるいは前記付随回路ごとに設けられ、
各制御回路は、対応する接続回路あるいは付随回路に前記直流電圧を供給する、請求項Ｂ記載の給電システム。
【０２１２】
この発明によれば、１つの機器または蓄電池を、１つの接続回路あるいは付随回路と接続させ、１つの接続回路あるいは付随回路を１つの制御回路と接続させることができる。
【０２１３】
（４）請求項Ｄ
前記機器または前記蓄電池は、複数個設けられ、
前記制御回路は、前記接続回路あるいは前記付随回路ごと、または複数個の接続回路あるいは付随回路ごとに設けられ、
各制御回路は、対応する１または複数個の接続回路あるいは付随回路に前記直流電圧を供給する、請求項Ｂ記載の給電システム。
【０２１４】
この発明によれば、１つの機器または蓄電池を、１つの接続回路あるいは付随回路と接続させ、１つまたは複数個の接続回路あるいは付随回路を１つの制御回路と接続させることができる。
【０２１５】
（５）請求項Ｅ
前記パワーコンディショナは、
前記電圧バスの電圧を用いて、前記交流電圧を生成する発振回路と、
前記発振回路から出力される交流電圧と、前記分散電源で生成された直流電圧を重畳する重畳部とを含む、請求項Ｂ記載の給電システム。
【０２１６】
この発明によれば、電圧バスの電圧を用いて、交流電圧を生成できる。
（６）請求項Ｆ
前記パワーコンディショナは、系統と接続され、
前記系統からの電圧を用いて、前記交流電圧を生成する発振回路と、
前記発振回路から出力される交流電圧と、前記分散電源で生成された直流電圧を重畳する重畳部とを含む、請求項Ｂ記載の給電システム。
【０２１７】
この発明によれば、系統の電圧を用いて、交流電圧を生成できる。
（７）請求項Ｇ
前記給電システムは、前記蓄電池と接続され、
前記パワーコンディショナは、
前記蓄電池の電圧を用いて、前記交流電圧を生成する発振回路と、
前記発振回路から出力される交流電圧と、前記分散電源で生成された直流電圧を重畳する重畳部とを含む、請求項Ｂ記載の給電システム。
【０２１８】
この発明によれば、蓄電池の電圧を用いて、交流電圧を生成できる。
（８）請求項Ｈ
前記バス電圧設定部は、
前記分散電源で生成された直流電圧を前記電圧バスへ出力するパワーコンディショナと、
系統からの交流電圧を低い交流電圧に変換するＡＣ／ＡＣコンバータと、
前記ＡＣ／ＡＣコンバータで生成された交流電圧を前記電圧バスの電圧に重畳する重畳部とを含む、請求項Ａ記載の給電システム。
【０２１９】
この発明によれば、系統からの交流電圧をダウンコンバートした電圧を電圧バスの電圧に重畳できる。
【０２２０】
（９）請求項Ｉ
前記バス電圧設定部は、
前記分散電源で生成された直流電圧に交流電圧を重畳して、前記電圧バスへ出力するパワーコンディショナと、
系統からの交流電圧を低い交流電圧に変換するＡＣ／ＡＣコンバータと、
前記ＡＣ／ＡＣコンバータで生成された交流電圧を前記電圧バスの電圧に重畳する重畳部とを含む、請求項Ａ記載の給電システム。
【０２２１】
この発明によれば、系統からの交流電圧をダウンコンバートした電圧を、パワーコンディショナから出力される分散電源で生成された直流電圧に交流電圧が重畳された電圧バスの電圧に重畳できる。
【０２２２】
（１０）請求項Ｊ
前記バス電圧設定部は、
スイッチと、
分散電源で生成された直流電圧に交流電圧を重畳して、前記スイッチを介して前記電圧バスへ出力するパワーコンディショナと、
系統からの交流電圧を低い交流電圧に変換するＡＣ／ＡＣコンバータと、
前記ＡＣ／ＡＣコンバータで生成された交流電圧を前記電圧バスの電圧に重畳する重畳部とを含む、請求項Ａ記載の給電システム。
【０２２３】
この発明によれば、蓄電池からの電力で直流負荷を動作させたい場合などに、スイッチをオフにしてパワーコンディショナからの電圧を電圧バスに供給しないようにできる。
【０２２４】
（１１）請求項Ｋ
前記ＡＣ／ＡＣコンバータは、前記スイッチがオフのときに、前記変換を実行し、
前記重畳部は、前記スイッチがオフのときに、前記交流電圧の重畳を実行する、請求項Ｊ記載の給電システム。
【０２２５】
この発明によれば、スイッチをオフのときに、系統からの交流電圧をダウンコンバートした電圧を電圧バスの電圧に重畳できる。
【０２２６】
（１２）請求項Ｌ
前記給電システムは、前記機器または前記蓄電池を備える、請求項Ａ〜Ｋのいずれか１項に記載の給電システム。
【０２２７】
この発明によれば、給電システムが、機器または蓄電池を備えることができる。
（１３）請求項Ｍ
蓄電池を備え、
前記バス電圧設定部は、
分散電源で生成された直流電圧を前記電圧バスへ出力するパワーコンディショナと、
前記蓄電池からの直流電圧を交流電圧に変換するＤＣ／ＡＣコンバータと、
前記ＤＣ／ＡＣコンバータで生成された交流電圧を前記電圧バスの電圧に重畳する重畳部とを含む、請求項Ａ記載の給電システム。
【０２２８】
この発明によれば、蓄電池からの直流電圧をＤＣ／ＡＣ変換した交流電圧を電圧バスの電圧に重畳できる。
【０２２９】
（１４）請求項Ｎ
蓄電池を備え、
前記バス電圧設定部は、
分散電源で生成された直流電圧に交流電圧を重畳して、前記電圧バスへ出力するパワーコンディショナと、
前記蓄電池からの直流電圧を交流電圧に変換するＤＣ／ＡＣコンバータと、
前記ＤＣ／ＡＣコンバータで生成された交流電圧を前記電圧バスの電圧に重畳する重畳部とを含む、請求項Ａ記載の給電システム。
【０２３０】
この発明によれば、蓄電池からの直流電圧をＤＣ／ＡＣ変換した交流電圧を、パワーコンディショナから出力される分散電源で生成された直流電圧に交流電圧が重畳された電圧バスの電圧に重畳できる。
【０２３１】
（１５）請求項Ｏ
蓄電池を備え、
前記バス電圧設定部は、
スイッチと、
分散電源で生成された直流電圧に交流電圧を重畳して、前記スイッチを介して前記電圧バスへ出力するパワーコンディショナと、
前記蓄電池からの直流電圧を交流電圧に変換するＤＣ／ＡＣコンバータと、
前記ＤＣ／ＡＣコンバータで生成された交流電圧を前記電圧バスの電圧に重畳する重畳部とを含む、請求項Ａ記載の給電システム。
【０２３２】
この発明によれば、蓄電池からの電力で直流負荷を動作させたい場合などに、スイッチをオフにしてパワーコンディショナからの電圧を電圧バスに供給しないようにできる。
【０２３３】
（１６）請求項Ｐ
前記ＤＣ／ＡＣコンバータは、前記スイッチがオフのときに、前記変換を実行し、
前記重畳部は、前記スイッチがオフのときに、前記交流電圧の重畳を実行する、請求項Ｏ記載の給電システム。
【０２３４】
この発明によれば、スイッチをオフのときに、蓄電池からの直流電圧をＤＣ／ＡＣ変換した交流電圧を電圧バスの電圧に重畳できる。
【０２３５】
（１７）請求項Ｑ
前記バス電圧設定部は、それぞれ互いに相違する周波数の交流電圧を生成し、複数個のうちの少なくとも１つの前記交流電圧と、前記分散電源で生成された直流電圧を重畳し、
前記機器または前記蓄電池は、複数個設けられ、
前記接続回路あるいは前記付随回路は、前記機器または前記蓄電池ごとに設けられ、
前記制御回路は、前記接続回路あるいは前記付随回路ごと、または複数個の前記接続回路あるいは前記付随回路ごとに設けられ、かつ前記生成された交流電圧ごとに設けられ、
各制御回路は、対応する１個または複数個の接続回路あるいは付随回路に前記直流電圧を供給し、
各制御回路は、前記重畳された電圧に含まれる、対応する発振回路が出力する交流電圧の周波数成分を通過させるバンドパスフィルタを備え、
各制御回路は、対応する接続回路あるいは付随回路に前記直流電圧を供給する、請求項Ａに記載の給電システム。
【０２３６】
この発明によれば、特定の接続回路あるいは付随回路のみを駆動して、それに接続されている機器または蓄電池を動作させることができる。
【０２３７】
（１８）請求項Ｒ
前記各発振回路は、対応する接続回路あるいは付随回路を駆動するための直流電圧に応じた振幅の交流電圧を出力する、請求項Ｑ記載の給電システム。
【０２３８】
この発明によれば、接続回路あるいは付随回路ごとに駆動するための電圧が相違する場合でも、動作させることができる。
【０２３９】
（１９）請求項Ｓ
前記接続回路あるいは付随回路は、前記電圧バスと、前記機器または前記蓄電池との間に設けられ、前記制御回路から送られる直流電圧によって、開閉が制御されるスイッチを含む、請求項Ｂ記載の給電システム。
【０２４０】
この発明によれば、制御線からの制御信号によらずに、制御回路から送られる直流電圧によって、電圧バスと、機器または蓄電池との接続を制御することができる。
【０２４１】
（２０）請求項Ｔ
前記パワーコンディショナは、前記機器または前記蓄電池と前記電圧バスとの接続時において、突入電流が流れないように、前記重畳する交流電圧の振幅を制御する、請求項Ｓ記載の給電システム。
【０２４２】
この発明によれば、機器または蓄電池と電圧バスとの接続時に突入電流が流れないようすることができる。
【０２４３】
（２１）請求項Ｕ
前記パワーコンディショナは、前記発振回路として第１発振回路および第２発振回路を含み、各発振回路は、互いに相違する周波数の交流電圧を生成し、
前記重畳部は、２個の発振回路のうち少なくとも１つから出力される交流電圧と、前記分散電源で生成された直流電圧を重畳し、
前記接続回路あるいは前記付随回路は、前記機器または前記蓄電池ごとに設けられ、
前記制御回路は、前記接続回路あるいは前記付随回路ごと、または複数個の前記接続回路あるいは前記付随回路ごとに設けられ、
各制御回路は、対応する１個または接続回路あるいは付随回路に前記直流電圧を供給し、
各制御回路は、
前記重畳された電圧に含まれる、前記第１発振回路が出力する交流電圧の周波数成分を通過させ、整流および平滑化して、第１の直流電圧を出力する第１の整流回路と、
前記重畳された電圧に含まれる、前記第２発振回路が出力する交流電圧の周波数成分を通過させ、整流および平滑化して、第２の直流電圧を出力する第２の整流回路とを含み、
前記接続回路あるいは前記付随回路は、
前記電圧バスと、対応する機器または蓄電池との間に設けられ、対応する制御回路から送られる前記第１の直流電圧によって、開閉が制御される第１のスイッチと、
前記電圧バスと、対応する機器または蓄電池との間に設けられ、対応する制御回路から送られる前記第２の直流電圧によって、開閉が制御される第２のスイッチとを含み、
前記第１のスイッチを通じて、前記機器または前記蓄電池から前記電圧バスへの電流が流れ、前記第２のスイッチを通じて、前記電圧バスから前記機器または前記蓄電池への電流が流れる、請求項Ｅに記載の給電システム。
【０２４４】
この発明によれば、過放電では、充電はできるが放電はしないようにし、過充電では、放電はできるが充電はしないようにして、蓄電池残量を適正値に保つことができる。
【０２４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０２４６】
１，２，３，４，５，６１，７１，７４，４０４，４０５，５０４，５０５，４００  給電システム、６−１〜６−４  蓄電池、７−１〜７−４，６３−１〜６３−３，７２−１〜７２−４，８２−１〜８２−４  接続制御回路あるいは付随制御回路、８−１〜８−４  機器、１０  太陽電池、１１，３１，６２，７９，８５，１０１，１０２，１０３  パワーコンディショナ、１２  系統電力、１３−１〜１３−４，７３−１，１７３−１  接続回路あるいは付随回路、１４，１４−１，６４−１〜６４−３，１１４−１  制御回路、３２  ＡＣ／ＡＣコンバータ、３３  ＤＣ／ＡＣコンバータ、４１  ＤＣ／ＤＣコンバータ、４２  双方向ＡＣ／ＤＣコンバータ、４３，４３−１〜４３−３，９３−１，９３−２  発振回路、４４，３４，８４，３４０  重畳部、５２  ダイオードブリッジ、５３，６８−１〜６８−３，８９−Ａ，８９−Ｂ  整流回路、５９  トランス、６５−１〜６５−３  バンドパスフィルタ、８１  電圧バス、８２  制御線、９９  直流負荷、１５１  指令部、Ｄ１〜Ｄ４  ダイオード、Ｒ１〜Ｒ４  抵抗素子，６５−Ａ，６５−Ｂ、Ｃ１〜Ｃ６  コンデンサ、ＳＷＡ，ＳＷ１，ＳＷ２  スイッチ、７０１〜７１１  バス電圧設定部。
【図１】
2014100050.tif 000003
【図２】
2014100050.tif 000004
【図３】
2014100050.tif 000005
【図４】
2014100050.tif 000006
【図５】
2014100050.tif 000007
【図６】
2014100050.tif 000008
【図７】
2014100050.tif 000009
【図８】
2014100050.tif 000010
【図９】
2014100050.tif 000011
【図１０】
2014100050.tif 000012
【図１１】
2014100050.tif 000013
【図１２】
2014100050.tif 000014
【図１３】
2014100050.tif 000015
【図１４】
2014100050.tif 000016
【図１５】
2014100050.tif 000017
【図１６】
2014100050.tif 000018
【図１７】
2014100050.tif 000019
【図１８】
2014100050.tif 000020
【図１９】
2014100050.tif 000021
【図２０】
2014100050.tif 000022
【図２１】
2014100050.tif 000023
【図２２】
2014100050.tif 000024
【図２３】
2014100050.tif 000025
【図２４】
2014100050.tif 000026
【図２５】
2014100050.tif 000027
【図２６】
2014100050.tif 000028
【図２７】
2014100050.tif 000029
【図２８】
2014100050.tif 000030
【図２９】
2014100050.tif 000031
【図３０】
2014100050.tif 000032
【図３１】
2014100050.tif 000033
【図３２】
2014100050.tif 000034
【図３３】
2014100050.tif 000035
【図３４】
2014100050.tif 000036